(57)【要約】【課題】カウンター（天板）の高さを調節可能であり、且つ組み立て作業を簡単に行うことができるシステムキッチンの開発を課題とする。【解決手段】３個のキッチンユニット２，３，４と、天板（カウンター）５及び中間板１０を備えている。各収納ユニット２，３，４は、独立した筐体を備えている。中間板１０の厚さは任意であり、キッチン使用者の身長に合わせて厚さが選択される。キッチンユニット２，３，４が並列的に並べられ、その上に中間板１０と天板（カウンター）５が載置されている。中間板１０とキッチンユニット２，３，４との間はネジ１５によって締結されている。そのため各キッチンユニット２，３，４は、中間板１０を介して相対位置が決定され、中間板１０を介して位置決めされる。【選択図】図２
2008023226.tif 000002
【特許請求の範囲】
【請求項１】
複数のキッチンユニットを連結して構成されたキッチンにおいて、中間板と天板とを有し、キッチンユニットは並列的に配置されてその上部に中間板が配され、中間板とキッチンユニットとの間が連結されてキッチンユニット同士が中間板を介して接続され、中間板の上部に天板が配されていることを特徴とするキッチン。
【請求項２】
天板は、カウンター用板の裏面に補強部材が設けられたものであることを特徴とする請求項１に記載のキッチン。
【発明の詳細な説明】
【技術分野】
【０００１】
本発明は、キッチンの構造に関するものである。本発明のキッチンは、システムキッチンと称される様なキッチンユニットを組み合わせて構成されたものである。
【背景技術】
【０００２】
システムキッチンと称されるキッチンが市販されている。システムキッチンは、流し台、収納用キャビネツト、引出し、電子レンジ内蔵キャビネツト等をユニット化し、需要者の要望に応じてユニットを取捨選択して一つのキッチンセットを構成するものである。特許文献１，２にはいずれもシステムキッチンに関する発明が開示されている。シンテムキッチンは、前記した様にキッチンの構成部材をユニット化し、これを組み合わせて一つのキッチンセットを構成するものであるから、各構成部材たるキッチンユニットを位置決めして相互に接続する必要がある。
【０００３】
従来技術のキッチンにおいては、各キッチンユニット同士を直接ネジ等によって接合し、ユニット同士を結合していた。即ち各キッチンユニットは、筐体や枠体を有している。そして各キッチンユニットを所定の配列状態に設置し、隣接する筐体や枠体同士をネジによって締結し、各キッチンユニット同士を接続していた。
【特許文献１】特許第２５９５５４４号公報
【特許文献２】実用新案登録第２５２５７３９号公報
【発明の開示】
【発明が解決しようとする課題】
【０００４】
キッチンは、毎日使用されるものであり、使い勝手の善し悪しは家を新築する際やマンションを購入する際に最大の関心をもって検討される事項の一つである。キッチンの使い勝手の善し悪しは、各キッチンユニットの構成やレイアウトの他、カウンターの高さによっても左右される。
【０００５】
即ちシステムキッチンはカウンターを有し、カウンターの上で調理を行う。そのためカウンターの高さが使用者に合っていれば使い勝手が良く、不釣り合いであれば使用者が疲れる。そのため使用者の身長に応じてカウンターの高さを調節したいという要求がある。
【０００６】
また従来技術のキッチンは、各キッチンユニット同士を直接ネジ等によって接合して各キッチンユニットの位置決めを行っていたので、組み立て作業が面倒であった。
【０００７】
そこで本発明は従来技術の上記した問題点に注目し、カウンター（天板）の高さを調節可能であり、且つ各キッチンユニット同士の結合作業をも簡単に行うことができるキッチンを開発することを課題とするものである。
【課題を解決するための手段】
【０００８】
上記した課題を解決するための請求項１に記載の発明は、複数のキッチンユニットを連結して構成されたキッチンにおいて、中間板と天板とを有し、キッチンユニットは並列的に配置されてその上部に中間板が配され、中間板とキッチンユニットとの間が連結されてキッチンユニット同士が中間板を介して接続され、中間板の上部に天板が配されていることを特徴とするキッチンである。
【０００９】
本発明のキッチンでは、天板とキッチンユニットとの間に中間板が設けられている。そのため中間板の厚さや枚数を変更することにより、天板の高さを調節することができる。また本発明のキッチンでは、中間板を介してキッチンユニット同士が結合されるので、高さ調整とキッチンユニットの結合を同時に行うことができる。
【００１０】
天板は、一枚物であってもよいし、カウンター用板の裏面に補強部材が設けられたものであってもよい。
【発明の効果】
【００１１】
本発明のキッチンは、天板の高さを任意に調節することができる。また本発明のキッチンは、中間板の取付けとキッチンユニットの位置決めを同時に行うことができるので、組み立て作業が容易である。
【発明を実施するための最良の形態】
【００１２】
以下さらに本発明の実施形態について説明する。図１は、本発明の実施形態のキッチンの斜視図である。図２は、図１のキッチンの分解斜視図である。図３は、図１のキッチンのＡ−Ａ平面における断面図である。図に示すキッチン１は、いわゆるシステムキッチンであり、３個のキッチンユニット２，３，４と、天板（カウンター）５を有する。また特有の構成として中間板１０を備えている。
【００１３】
３個のキッチンユニット２，３，４の内、一端側に配されたキッチンユニット２は、引出し式の収納ユニットである。中央のキッチンユニット３は、オーブンレンジが内蔵されたユニットである。そして他端側のキッチンユニット４は、酒瓶、醤油瓶等を収納する収納ユニットである。本実施形態では、各収納ユニット２，３，４は、図２、３に示すような独立した筐体を備えている。筐体はいずれも、合板によって作られている。なお図２，３に示した筐体は、いずれも自身に上面板を備えるが、天面が開放された構造のものも多い。
【００１４】
天板（カウンター）５は、人造大理石等の化粧材が表面に装着されたカウンター用板１１と、補強部材９とによって構成されている。なお化粧材は、人造大理石に限定されるものではなく、ステンレス等の金属であってもよい。カウンター用板１１は、長方形であって平面状のカウンター部１２と、前垂れ部１３を有している。前垂れ部１３は、低い壁状であり、カウンター部１２の一辺にあり、カウンター部１２に対して垂直方向に垂下している。
【００１５】
中間板１０は、平面視が長方形の板であり、その面積及び形状は、前記した３個のキッチンユニット２，３，４の頂面の合計と等しい。中間板１０の厚さは任意であり、キッチン使用者の身長に合わせて厚さが選択される。中間板１０の一般的厚さは、１０ｍｍ前後である。本実施形態では、中間板１０は一枚であるが、複数の板を重ねたものであってもよい。中間板１０の材質は、木であることが望ましく、単板であっても合板であってもよい。
【００１６】
本実施形態のキッチン１は、３個のキッチンユニット２，３，４が並列的に並べられ、その上に中間板１０と天板（カウンター）５が載置されたものである。そして図２の様に、中間板１０とキッチンユニット２，３，４との間はネジ１５によって締結されている。そのため各キッチンユニット２，３，４は、中間板１０を介して相対位置が決定され、中間板１０を介して結合されている。
【００１７】
また天板（カウンター）５は中間板１０に接着されている。なお天板５は、カウンター部１２の背面に設けられた補強部材９が中間板１０と接し、前垂れ部１３が図３の様に各キッチンユニット２，３，４の前面の上部に被さっている。本実施形態のキッチン１では、天板５の高さ調整と、各キッチンユニット２，３，４の位置決めを同時に行うことができるので、組み立てが容易である。
【００１８】
次に本発明の他の実施形態について説明する。図４は、本発明の第２実施形態のキッチンの断面図である。図５は、本発明の第３実施形態のキッチンの断面図である。図６は、本発明の第４実施形態のキッチンの分解斜視図である。
【００１９】
図１乃至図３で示した実施形態では、天板（カウンター）５の前垂れ部１３が各キッチンユニット２，３，４の前面の上部に被さる構造を例示した。この構成は、当業者の間で、「被せ方式」と称されるものであり、一般的な構造であるが、当業者の間で、「上乗せ方式」と称される様な構造であっても差し支えない。「上乗せ方式」と称される構造は、図４の断面図の様であり、天板（カウンター）５の前垂れ部１３と各キッチンユニット２，３，４との重複部分が少ない。
【００２０】
またキッチンユニットには、図５の様に扉２０を開いた時に扉２０が上方にせりあがる構造のものもある。扉２０が上方にせりあがる構造のキッチンユニット３１は、扉２０が天板（カウンター）５の前垂れ部１３と干渉し易いが、本発明のキッチンユニット１では、中間板１０を有するので、中間板１０の厚さを適宜選択することにより、扉２０と前垂れ部１３との衝突を回避することができる。
【００２１】
また前記した各実施形態では、天板の表面は平板状であるが、図６に示すキッチン２３の様に、流し部材２２を装着可能なキッチンユニット２３を採用した場合には、天板（カウンター）２５及び中間板２６は開口３０や切り欠き部２８を有するものとなる。
【００２２】
上記した各実施形態では、各キッチンユニットが直線的に配置されているが、全体のレイアウトが「Ｌ」型のキッチンにも本発明を適用することができる。全体のレイアウトが「Ｌ」型のキッチンに本発明を適用する場合には、天板や中間板の平面視形状が「Ｌ」型となる。
【図面の簡単な説明】
【００２３】
【図１】本発明の実施形態のキッチンの斜視図である。
【図２】図１のキッチンの分解斜視図である。
【図３】図１のキッチンのＡ−Ａ平面における断面図である。
【図４】本発明の第２実施形態のキッチンの断面図である。
【図５】本発明の第３実施形態のキッチンの断面図である。
【図６】本発明の第４実施形態のキッチンの分解斜視図である。
【符号の説明】
【００２４】
１  キッチン
２，３，４  キッチンユニット
５  天板（カウンター）
９  補強部材
１０  中間板
２３  キッチンユニット
２５  天板（カウンター）
２６  中間板
３１  キッチンユニット
【図１】
2008023226.tif 000003
【図２】
2008023226.tif 000004
【図３】
2008023226.tif 000005
【図４】
2008023226.tif 000006
【図５】
2008023226.tif 000007
【図６】
2008023226.tif 000008